(57)【要約】【課題】トライアックの故障判定を正確に行う。【解決手段】補助ヒータ（１）を流れる電流を検出する電流トランス（２）と、補助ヒータ（１）を流れる電流を制御するトライアック（３）に電流を供給している状態で、当該トライアック（３）に対するＯＮまたはＯＦＦの指示と、上記電流トランス（２）により検出される電流値とに応じてトライアック（３）の故障を判定する補助ヒータ制御回路（６）と、を備える。【選択図】図１
2017083137.tif 000002
【特許請求の範囲】
【請求項１】
温度制御を補助する補助ヒータを備えた電気機器であって、
上記補助ヒータを流れる電流を制御するスイッチング素子と、
上記補助ヒータを流れる電流を検出する電流トランスと、
上記スイッチング素子に電流を供給している状態で、当該スイッチング素子に対するＯＮまたはＯＦＦの指示と、上記電流トランスにより検出される電流値とに応じて上記スイッチング素子の故障を判定する故障判定回路と、
を備えていることを特徴とする電気機器。
【請求項２】
上記故障判定回路は、
上記スイッチング素子に電流を供給している状態で、当該スイッチング素子にＯＦＦの指示を与えたときに、上記電流トランスにより検出された電流値が０でなければ、上記スイッチング素子を故障と判定することを特徴とする請求項１に記載の電気機器。
【請求項３】
上記故障判定回路は、
上記スイッチング素子に電流を供給している状態で、当該スイッチング素子にＯＮの指示を与えたときに、上記電流トランスにより検出された電流値が０であれば、上記スイッチング素子を故障と判定することを特徴とする請求項１に記載の電気機器。
【請求項４】
上記故障判定回路は、
上記電気機器の電源投入時に、上記スイッチング素子の故障の判定を行うことを特徴とする請求項１〜３の何れか１項に記載の電気機器。
【請求項５】
上記電気機器は、空気調和機であり、
上記故障判定回路は、
上記空気調和機が備えるコンプレッサが停止している間に、上記スイッチング素子の故障の判定を行うことを特徴とする請求項１〜４の何れか１項に記載の電気機器。
【発明の詳細な説明】
【技術分野】
【０００１】
本発明は、補助ヒータを備えた電気機器に関する。
【背景技術】
【０００２】
補助ヒータを備えた電気機器では、補助ヒータの入力を段階的に制御するため、トライアック等のスイッチング素子にて電流を制御している。このスイッチング素子は、経年劣化や使用環境等に起因して故障する虞がある。スイッチング素子が故障した状態では、補助ヒータの制御が適切に行えない。特に、補助ヒータを備えた電気機器として、エアコン等の空気調和機において補助ヒータの制御に用いるスイッチング素子が故障すれば、冷房時や暖房時の温度制御が適切に行えないという問題が生じる。
【０００３】
そこで、特許文献１には、スイッチング素子と補助ヒータとの間に電流トランスを配置し、補助ヒータ駆動中の電流トランスの電流値と、予め設定した電流値とを比較し、スイッチング素子の故障を判定する方法が開示されている。
【先行技術文献】
【特許文献】
【０００４】
【特許文献１】特開平７−１６７４７４号公報（１９９５年７月４日公開）
【発明の概要】
【発明が解決しようとする課題】
【０００５】
しかしながら、特許文献１に開示された技術では、補助ヒータを駆動させた状態で、スイッチング素子の故障を検出しているため、補助ヒータの駆動による電源電圧の変動や、補助ヒータの周囲の環境（温度や湿度など）により、電流トランスで検出される電流値が変動する虞がある。このため、スイッチング素子の故障判定を正確に行えないという問題が生じる。
【０００６】
本発明は、前記の問題点に鑑みてなされたものであり、その目的は、補助ヒータを駆動するための電源電圧の変動や、補助ヒータの周囲の環境に影響を受けずに、スイッチング素子の故障判定を正確に行うことができる補助ヒータを備えた電気機器を提供することにある。
【課題を解決するための手段】
【０００７】
上記の課題を解決するために、本発明の一態様に係る補助ヒータを備えた電気機器は、温度制御を補助する補助ヒータを備えた電気機器であって、上記補助ヒータを流れる電流を制御するスイッチング素子と、上記補助ヒータを流れる電流を検出する電流トランスと、上記スイッチング素子に電流を供給している状態で、当該スイッチング素子に対するＯＮまたはＯＦＦの指示と、上記電流トランスにより検出される電流値とに応じて上記スイッチング素子の故障を判定する故障判定回路と、を備えていることを特徴としている。
【発明の効果】
【０００８】
本発明の一態様によれば、補助ヒータを駆動するための電源電圧の変動や、補助ヒータの周囲の環境に影響を受けずに、スイッチング素子の故障判定を正確に行うことができるという効果を奏する。
【図面の簡単な説明】
【０００９】
【図１】本発明の実施形態１に係る空気調和機の概略構成ブロック図である。
【図２】図１に示す空気調和機に備えられた補助ヒータ制御回路の概略構成ブロック図である。
【図３】本発明の実施形態１に係るトライアック故障検出の処理の流れを示すフローチャートである。
【図４】本発明の実施形態２に係るトライアック故障検出の処理の流れを示すフローチャートである。
【発明を実施するための形態】
【００１０】
〔実施形態１〕
以下、本発明の実施の形態について、詳細に説明する。本実施形態では、本発明の補助ヒータを備えた電気機器として、エアコン等に代表される空気調和機を例に説明する。
【００１１】
（空気調和機の構成）
図１は、空気調和機の概略構成ブロック図である。
【００１２】
空気調和機は、図１に示すように、室内に設置される室内機１０１と、室外に設置される室外機１０２とを備える。
【００１３】
室内機１０１は、空調時の温度制御の補助に用いられ、ＰＴＣ（Positive Temperature Coefficient）ヒータ等の電気ヒータからなる補助ヒータ１、補助ヒータ１に流れる電流を検出する電流トランス２、補助ヒータ１に流れる電流を段階的に制御するためのトライアック（スイッチング素子）３、電流の流れをＯＮ・ＯＦＦするリレー（例えばマグネットリレー）４、補助ヒータ１に電力を供給するための電源５、電流トランス２、トライアック３及びリレー４を制御する補助ヒータ制御回路６、室内機１０１及び室外機１０２の全体を制御する主制御回路７を含んでいる。
【００１４】
ここで、図１では、トライアック３は、補助ヒータ１を介して電流トランス２に直列に接続されている。
【００１５】
室外機１０２は、上記主制御回路７からの制御信号により駆動制御されるコンプレッサを備え、コンプレッサの駆動状況を示す信号を補助ヒータ制御回路６に送信するようになっている。例えば、室外機１０２は、コンプレッサが駆動したことを示す信号、コンプレッサが停止したことを示す信号を補助ヒータ制御回路６に送信する。
【００１６】
（補助ヒータ制御回路６の構成）
図２は、補助ヒータ制御回路６の概略構成ブロック図である。
【００１７】
補助ヒータ制御回路６は、図２に示すように、電流トランス２を駆動制御する電流トランス制御部６１、トライアック３を駆動制御するトライアック制御部６２、リレー４を駆動制御するリレー制御部６３を含み、電流トランス２、トライアック３、リレー４をそれぞれの制御部によって駆動制御することでトライアック３の故障を判定する故障判定回路としても機能する。
【００１８】
補助ヒータ制御回路６が故障判定回路として機能する場合、トライアック３に電流を供給している状態で、当該トライアック３に与えるＯＮまたはＯＦＦの指示と、上記電流トランス２により検出された電流値とによって上記トライアック３の故障を判定する。
【００１９】
以下に、トライアック３の故障判定処理の詳細について説明する。
【００２０】
（トライアック故障判定処理：リレーＯＮ、トライアックＯＦＦ）
図３は、本実施形態に係るトライアック３の故障判定処理の流れを示すフローチャートである。
【００２１】
まず、トライアック３をＯＦＦ状態にする（Ｓ１１）。ここでは、主制御回路７からの故障判定の指示によりトライアック制御部６２がトライアック３をＯＦＦ状態にする。現段階では、トライアック３が故障しているか否かが不明なので、トライアック制御部６２はトライアック３にＯＦＦの指示を与えるだけである。これは、トライアック３が故障していれば、ＯＦＦの指示を与えてもＯＦＦにはならないためである。
【００２２】
続いて、リレー４をＯＮ状態にする（Ｓ１２）。ここでは、主制御回路７からの故障判定の指示によりリレー制御部６３がリレー４をＯＮ状態にする。これにより、電源５からの電流は、補助ヒータ１を介してトライアック３に流れる状態、すなわちトライアック３に電流を供給している状態となる。つまり、図１に示す回路において、トライアック３がＯＦＦ、リレー４がＯＮの状態となる。
【００２３】
次に、トライアック３に電流を供給している状態で、電流トランス２により検出した電流値が０か否かを判定する（Ｓ１３）。ここでは、電流トランス制御部６１が電流トランス２により検出した電流値が０か否かを判定する。
【００２４】
Ｓ１３において、検出した電流値が０であれば、トライアック３は正常である（Ｓ１４）と判定し、処理を終了する。つまり、検出した電流値が０であれば、トライアック３はＯＮからＯＦＦにならない故障、所謂ショート故障していない、正常な状態であると判定される。
【００２５】
一方、Ｓ１３において、検出した電流値が０でなければ、トライアック３は故障である（Ｓ１５）と判定する。つまり、検出した電流値が０でなければ、トライアック３はショート故障していると判定される。
【００２６】
その後、故障を報知し（Ｓ１６）、リレーをＯＦＦすることにより、補助ヒータへ流れる電流をカットすることで補助ヒータ１の駆動を停止し（Ｓ１７）、処理を終了する。ここでは、電流トランス制御部６１は、故障と判定したことを示す信号を主制御回路７に送信し、室内機１０１においてトライアック３が故障していることをユーザに報知する。この報知は、室内機１０１に設けられた故障ランプを点滅させたり、室内機１０１を操作するリモコンに故障していることを知らせたりして行う。あるいは、報知音や音声で知らせてもよい。
【００２７】
（効果）
このように、スイッチング素子であるトライアック３に電流を供給している状態で、当該トライアック３をＯＦＦ状態にして、電流トランス２により検出される電流値が０か否かによって当該トライアック３の故障を判定しているので、トライアック３の故障判定のために補助ヒータ１を駆動させる必要がない。
【００２８】
従って、従来のように、補助ヒータ１を駆動させた状態で故障検出を行う場合に問題となる、電源電圧の変動や、周囲環境の影響を受けずに、トライアック３の故障判定を行うことができるので、トライアック３の故障判定を正確に行うことができる。
【００２９】
〔実施形態２〕
本発明の他の実施形態について説明すれば、以下のとおりである。なお、説明の便宜上、前記実施形態にて説明した部材と同じ機能を有する部材については、同じ符号を付記し、その説明を省略する。
【００３０】
本実施形態では、前記実施形態１の空気調和機と構成が同じであり、トライアック３の故障判定の処理が異なる。以下に本実施形態でのトライアック３の故障判定の処理について説明する。
【００３１】
（トライアック故障判定処理：リレーＯＮ、トライアックＯＮ）
図４は、本実施形態に係るトライアック３の故障判定処理の流れを示すフローチャートである。
【００３２】
まず、トライアック３をＯＮ状態にする（Ｓ２１）。ここでは、主制御回路７からの故障判定の指示によりトライアック制御部６２がトライアック３をＯＮ状態にする。現段階では、トライアック３が故障しているか否かが不明なので、トライアック制御部６２はトライアック３にＯＮの指示を与えるだけである。これは、トライアック３が故障していれば、ＯＮの指示を与えてもＯＮにはならないためである。
【００３３】
続いて、リレー４をＯＮ状態にする（Ｓ２２）。ここでは、主制御回路７からの故障判定の指示によりリレー制御部６３がリレー４のＯＮ状態にする。これにより、電源５からの電流は、補助ヒータ１を介してトライアック３に流れる状態、すなわちトライアック３に電流を供給している状態となる。つまり、図１に示す回路において、トライアック３がＯＮ、リレー４がＯＮの状態となる。
【００３４】
次に、トライアック３に電流を供給している状態で、電流トランス２により検出した電流値が０か否かを判定する（Ｓ２３）。ここでは、電流トランス制御部６１が電流トランス２により検出した電流値が０か否かを判定する。
【００３５】
Ｓ２３において、検出した電流値が０であれば、トライアック３は故障である（Ｓ２４）と判定する。つまり、検出した電流値が０であれば、トライアック３はＯＦＦからＯＮにならない故障、所謂オープン故障していると判定される。
【００３６】
その後、故障を報知し（Ｓ２５）、リレーをＯＦＦすることにより、補助ヒータへ流れる電流をカットすることで補助ヒータ１の駆動を停止し（Ｓ２６）、処理を終了する。ここでは、電流トランス制御部６１は、故障と判定したことを示す信号を主制御回路７に送信し、室内機１０１においてトライアック３が故障していることをユーザに報知する。この報知は、室内機１０１に設けられた故障ランプを点滅させたり、室内機１０１を操作するリモコンに故障していることを知らせたりして行う。あるいは、報知音や音声で知らせてもよい。
【００３７】
一方、Ｓ２３において、検出した電流値が０でなければ、トライアック３は正常である（Ｓ２７）と判定し、処理を終了する。つまり、検出した電流値が０でなければ、トライアック３はオープン故障していないと判定される。
【００３８】
（効果）
このように、スイッチング素子であるトライアック３に電流を供給している状態で、当該トライアック３をＯＮ状態にして、電流トランス２により検出される電流値が０か否かによって当該トライアック３の故障を判定しているので、トライアック３の故障判定のために補助ヒータ１を駆動させる必要がない。
【００３９】
従って、従来のように、補助ヒータ１を駆動させた状態で故障検出を行う場合に問題となる、電源電圧の変動や、周囲環境の影響を受けずに、トライアック３の故障判定を行うことができるので、故障判定を正確に行うことができる。
【００４０】
なお、前記実施形態１，２においては、トライアック３の故障判定の処理を実施するタイミングについては特に限定していない。例えば、トライアック３の故障判定は、室内機１０１、室外機１０２の電源投入時に行うのが好ましい。
【００４１】
これは、室内機１０１、室外機１０２の電源投入時にトライアック３の故障判定を行うことで、補助ヒータ１が駆動する前に、当該トライアック３の故障の判定を行うことになり、この結果、故障しているスイッチング素子によって補助ヒータを駆動することを回避することができるという効果が得られるたである。なお、上記電源投入時とは、電源投入されてから室内機１０１、室外機１０２が空調運転を開始するまでの間を意味し、この間にトライアック３の故障判定を行う。なお、電源投入と同時にトライアック３の故障判定の開始を行うのが好ましい。
【００４２】
また、室内機１０１、室外機１０２の電源投入時にトライアック３の故障判定を行うことは、室外機１０２に備えられたコンプレッサ（圧縮機）が駆動する前でもあるため、トライアック３の故障判定を正確に行うことができる。これは、コンプレッサが駆動している間であれば、電源電圧の変動が大きくなり、電流トランス２によって電流値が正確に検出できないためである。
【００４３】
従って、トライアック３の故障判定を正確に行うには、空気調和機が運転中であっても、コンプレッサが停止している間（サーモＯＦＦ時）に、上記トライアック３の故障の判定を行えばよい。以下の実施形態３において、サーモＯＦＦ時にトライアック３の故障を判定する例について説明する。
【００４４】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
【００４５】
（トライアック故障判定処理：サーモＯＦＦ時）
本実施形態では、空気調和機（室内機１０１、室外機１０２）は、コンプレッサを駆動し、サーモ制御をする運転（冷房運転、暖房運転等）が可能である。そして、補助ヒータ制御回路６は、上記空気調和機（室内機１０１、室外機１０２）が備えるコンプレッサが停止している間（サーモＯＦＦ時）に、トライアック３の故障の判定を行ってもよい。ここでのトライアック３の故障判定は、前記実施形態１の図３に示す故障判定の処理、前記実施形態２の図４に示す故障判定の処理の何れであってもよい。
【００４６】
従って、空気調和機が備えるコンプレッサが停止している間に、トライアック３の故障の判定を行うことで、コンプレッサ駆動による電源電圧の変動による影響を受けずに、正確にトライアック３の故障判定を行うことができると共に、故障しているトライアック３によって補助ヒータ１を駆動しつづけることを回避することができる。
【００４７】
しかも、故障しているトライアック３によって補助ヒータ１を駆動しつづけることに起因する空気調和機の故障を事前に回避することも可能となる。
【００４８】
以下の実施形態４、５では、トライアック３の故障判定の処理を実施するさらに他のタイミングについて説明する。
【００４９】
〔実施形態４〕
本発明の他の実施形態について説明すれば、以下のとおりである。なお、説明の便宜上、前記実施形態にて説明した部材と同じ機能を有する部材については、同じ符号を付記し、その説明を省略する。
【００５０】
（トライアック故障判定処理：冷房運転中）
本実施形態では、空気調和機（室内機１０１、室外機１０２）は、少なくとも冷房運転が可能である。そして、補助ヒータ制御回路６は、空気調和機の冷房運転中に、トライアック３の故障の判定を行う。ここでのトライアック３の故障判定は、前記実施形態１の図３に示す故障判定の処理、前記実施形態２の図４に示す故障判定の処理の何れであってもよい。
【００５１】
この場合、冷房運転中であっても、トライアック３の故障を判定することができ、トライアック３が故障と判定されれば、ユーザにその旨を報知すると共に、冷房運転または送風運転を停止させることができる。これにより、冷房運転中または送風運転中に、故障したトライアック３を用いて補助ヒータ１を駆動させ続けることを回避することができる。よって、故障したトライアック３を用いて補助ヒータ１を駆動させ続けることに起因する室内機１０１や室外機１０２の故障を事前に回避することができる。
【００５２】
なお、冷房運転中は、補助ヒータ１が結露する虞があるため、結露防止のために補助ヒータ１を駆動する。従って、トライアック３が故障、特にショート故障してれば、補助ヒータ１から漏電する虞がある。このため、冷房運転中であっても、トライアック３の故障の判定を行うのが好ましい。
【００５３】
〔実施形態５〕
本発明の他の実施形態について説明すれば、以下のとおりである。なお、説明の便宜上、前記実施形態にて説明した部材と同じ機能を有する部材については、同じ符号を付記し、その説明を省略する。
【００５４】
（トライアック故障判定処理：運転開始前）
本実施形態では、空気調和機（室内機１０１、室外機１０２）は、少なくとも冷房運転、送風運転が可能である。そして、補助ヒータ制御回路６は、空気調和機（室内機１０１、室外機１０２）に関する運転（冷房運転、送風運転、暖房運転、除湿運転等）の各種運転の実行を指示する信号を受付けてコンプレッサの運転が実行されるまでの間に、トライアック３の故障の判定を行う。
【００５５】
ここでのトライアック３の故障判定は、前記実施形態１の図３に示す故障判定の処理、前記実施形態２の図４に示す故障判定の処理の何れであってもよい。
【００５６】
このように、空気調和機の各種運転の実行を指示する信号を受付けて運転が実行されるまでの間に、トライアック３の故障の判定を行うことで、各種運転時に、故障しているトライアック３によって補助ヒータ１を駆動することを回避することができる。
（置換可能性）
なお、前記の各実施形態で用いた図１では、トライアック３は、補助ヒータ１を介して電流トランス２に直列に接続された例を示しているが、これに限定されるものではなく、トライアック３、電流トランス２、補助ヒータ１がこの順で直列に接続されていてもよい。
【００５７】
また、前記の各実施形態では、空気調和機に用いる補助ヒータ１として上述したＰＴＣヒータが好ましいが、本発明の実施にはＰＴＣヒータに限定せず、他の電気ヒータ、例えばシーズヒータを補助ヒータ１として用いてもよい。
【００５８】
さらに、前記の各実施形態では、スイッチング素子としてトライアック３を用いたが、これに限定されるものではなく、スイッチング素子としては、トランジスタ全般、特にＭＯＳＦＥＴ（Metal Oxide Semiconductor Field Effect Transistor）が好適である。
【００５９】
また、前記の各実施形態では、補助ヒータを備えた電気機器としてエアコン等の空気調和機を例に説明したが、これに限定されるものではなく、洗濯乾燥機等の補助ヒータを備えた電気機器であれば、本発明を好適に用いることができる。
【００６０】
〔変形例〕
前記実施形態１のトライアック故障判定処理では、トライアック３のショート故障を判定できるが、オープン故障を判定できない。一方、前記実施形態２のトライアック故障判定処理では、トライアック３のオープン故障を判定できるが、ショート故障を判定できない。従って、前記実施形態１のトライアック故障判定処理と、前記実施形態２のトライアック故障判定処理との両方実行するようにすればよい。この場合、トライアック３に対してショート故障とオープン故障の両方が判定されるので、トライアック３の故障判定をより適切に行うことができる。
【００６１】
また、前記実施形態３、４、５において、トライアック３の故障判定のタイミングをそれぞれ規定しているが、各タイミングを組み合わせてトライアック３の故障判定を行ってもよい。このように、各タイミングを組み合わせることで、トライアック３の故障判定を複数回実施することができるため、トライアック３の故障をより確実に判定することができる。
【００６２】
しかも、トライアック３の故障の判定を定期的に行うようにすれば、トライアック３が故障した状態での空気調和機の運転を継続させないようにすることができる。
【００６３】
〔まとめ〕
本発明の態様１に係る補助ヒータを備えた電気機器は、温度制御を補助する補助ヒータ１を備え、上記補助ヒータ１を流れる電流を制御するスイッチング素子（トライアック３）と、上記補助ヒータ１を流れる電流を検出する電流トランス２と、上記スイッチング素子（トライアック３）に電流を供給している状態で、当該スイッチング素子（トライアック３）に対するＯＮまたはＯＦＦの指示と、上記電流トランス２により検出される電流値とに応じて上記スイッチング素子の故障を判定する故障判定回路（補助ヒータ制御回路６）と、を備えていることを特徴としている。
【００６４】
上記構成によれば、故障判定回路は、スイッチング素子に電流を供給している状態で、当該スイッチング素子に与えるＯＮまたはＯＦＦの指示と、上記電流トランスにより検出された電流値とによって、上記スイッチング素子の故障を判定している。
【００６５】
このように、スイッチング素子に電流を供給している状態で、当該スイッチング素子に与えるＯＮまたはＯＦＦの指示と、電流トランスにより検出される電流値とによってスイッチング素子の故障を判定しているので、スイッチング素子の故障判定のために補助ヒータを駆動させる必要がない。
【００６６】
従って、従来のように、補助ヒータを駆動させた状態で故障検出を行う場合に問題となる、電源電圧の変動や、周囲環境の影響を受けずに、スイッチング素子の故障判定を行うことができるので、スイッチング素子の故障判定を正確に行うことができる。
【００６７】
本発明の態様２に係る補助ヒータを備えた電気機器は、上記態様１において、上記故障判定回路（補助ヒータ制御回路６）は、上記スイッチング素子(トライアック３)に電流を供給している状態で、当該スイッチング素子（トライアック３）にＯＦＦの指示を与えたときに、上記電流トランス２により検出された電流値が０でなければ、上記スイッチング素子（トライアック３）を故障と判定してもよい。
【００６８】
上記の構成によれば、スイッチング素子に電流を供給している状態で、当該スイッチング素子にＯＦＦの指示を与えたときに、上記電流トランスにより検出された電流値が０でなければ、スイッチング素子はＯＮからＯＦＦにできないショート故障を発生していることになる。つまり、この場合の故障判定によれば、スイッチング素子のショート故障を判定することができる。
【００６９】
本発明の態様３に係る補助ヒータを備えた電気機器は、上記態様１において、上記故障判定回路（補助ヒータ制御回路６）は、上記スイッチング素子（トライアック３）に電流を供給している状態で、当該スイッチング素子（トライアック３）にＯＮの指示を与えたときに、上記電流トランス２により検出された電流値が０であれば、上記スイッチング素子（トライアック３）を故障と判定してもよい。
【００７０】
上記の構成によれば、スイッチング素子への電流を供給している状態で、当該スイッチング素子にＯＮの指示を与えたときに、上記電流トランスにより検出された電流値が０であれば、スイッチング素子はＯＦＦからＯＮにできないオープン故障を発生していることになる。つまり、この場合の故障判定によれば、スーツイング素子のオープン故障を判定することができる。
【００７１】
本発明の態様４に係る補助ヒータを備えた電気機器は、上記態様１〜３の何れか１態様において、上記故障判定回路（補助ヒータ制御回路６）は、上記電気機器（室内機１０１、室外機１０２）の電源投入時に、上記スイッチング素子（トライアック３）の故障の判定を行ってもよい。
【００７２】
上記の構成によれば、電気機器の電源投入時に行うことで、補助ヒータが駆動する前に、当該スイッチング素子の故障の判定を行うことになる。それ故、故障しているスイッチング素子によって補助ヒータを駆動することを回避することができる。
【００７３】
本発明の態様５に係る補助ヒータを備えた電気機器は、上記態様１〜４の何れか１態様において、上記電気機器は、空気調和機（室内機１０１、室外機１０２）であり、上記故障判定回路（補助ヒータ制御回路６）は、上記空気調和機（室内機１０１、室外機１０２）が備えるコンプレッサが停止している間に、上記スイッチング素子（トライアック３）の故障の判定を行ってもよい。
【００７４】
上記の構成によれば、空気調和機が備えるコンプレッサが停止している間に、スイッチング素子の故障の判定を行うことで、故障しているスイッチング素子によって補助ヒータを駆動しつづけることを回避することができる。
【００７５】
本発明の態様６に係る補助ヒータを備えた電気機器は、上記態様１〜５の何れか１態様において、上記電気機器は、少なくとも冷房運転が可能な空気調和機（室内機１０１、室外機１０２）であり、上記故障判定回路（補助ヒータ制御回路６）は、冷房運転中に、上記スイッチング素子（トライアック３）の故障の判定を行ってもよい。
【００７６】
上記の構成によれば、冷房運転中に、スイッチング素子の故障の判定を行うことで、故障しているスイッチング素子によって補助ヒータを駆動させ続けることを回避することができる。
【００７７】
本発明の態様７に係る補助ヒータを備えた電気機器は、上記態様１〜６の何れか１態様において、上記電気機器は、空気調和機（室内機１０１、室外機１０２）であり、上記故障判定回路（補助ヒータ制御回路６）は、上記空気調和機（室内機１０１、室外機１０２）の空調に関する運転（冷房運転、送風運転、暖房運転、除湿運転等）の実行を指示する信号を受付けてコンプレサの運転が実行されるまでの間に、上記スイッチング素子（トライアック３）の故障の判定を行ってもよい。
【００７８】
上記の構成によれば、空気調和機に関する冷房運転等の各種運転の実行を指示する信号を受付けて運転が実行されるまでの間に、スイッチング素子の故障の判定を行うことで、各種運転時に、故障しているスイッチング素子によって補助ヒータを駆動することを回避することができる。
【００７９】
本発明の態様８に係る補助ヒータを備えた電気機器は、上記態様１〜７の何れか１態様において、上記スイッチング素子（トライアック３）は、上記補助ヒータ１を介して、上記電流トランス２と直列に接続されていてもよい。
【００８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８１】
１  補助ヒータ
２  電流トランス
３  トライアック（スイッチング素子）
４  リレー
５  電源
６  補助ヒータ制御回路（故障判定回路）
７  主制御回路
６１  電流トランス制御部
６２  トライアック制御部
６３  リレー制御部
１０１  室内機（電気機器、空気調和機）
１０２  室外機（空気調和機）
【図１】
2017083137.tif 000003
【図２】
2017083137.tif 000004
【図３】
2017083137.tif 000005
【図４】
2017083137.tif 000006